(57)【特許請求の範囲】
【請求項１】
ヒートシール可能で気密性のシートで構成した気体充満可能な袋（１）のコ
ーナー部又は１辺の近くを、
仕切用ヒートシール部（１２）で仕切り、該仕切用ヒートシール部（１２）
の外側に、つまみ具（２）を切り離すためのミシン目（１３）又は脱線防止付
一方通行切れ目（１４）を設け、
横方向のヒートシール部（１１）上の該ミシン目（１３）又は該脱線防止付
一方通行切れ目（１４）の上方に、ミシン目等用切り口（１５）を設け、更に
前記仕切用ヒートシール部（１２）の内側に開封用切り口（１６）を設けた、
つまみ具用の切れ目を設けた食品用の袋。
【請求項２】
袋（１）の上下の横方向のヒートシール部（１１）を鋸歯状に切断し、
該横方向のヒートシール部（１１）上に、ミシン目（１３）又は脱線防止付  
一方通行切れ目（１４）に近い所にミシン目等用切り口（１５）と仕切用ヒー  
トシール部（１２）の内側に開封用切り口（１６）とを印刷により示した、請
求項１に記載のつまみ具用の切れ目を設けた食品用の袋。
【請求項３】
請求項１又は請求項２に記載の袋のコーナー部から切り離した、開口部（２１）が凸状である、つまみ具。
【発明の詳細な説明】
【技術分野】
【０００１】
本発明は、つまみ具用の切れ目を設けた食品用の袋及びつまみ具に関する。詳しくは、袋の中身の食品をつまむためのつまみ具を得るためのミシン目等の切れ目を設けた食品用の袋及びこの袋から切り離されたつまみ具に関する。
【背景技術】
【０００２】
従来、ポテトチップ等のような表面に油、塩、タレ等の付いた食品は、通常、手でつまんで食べるものであるが、食べた後、指に油、塩、タレ等が付いて困っていた。従って、箸、トング等を使って、直接手に触れないようにしたり、又は、手で食べた後、指に付いた油等を取り除くために、ティッシュペーパー、御絞り、タオル等で拭いたり、或いは石けんで手を洗ったりしていた。又、野外等で手を洗う所もない場合などでは、手が汚れているときには、食べられず困っていた。
【０００３】
現に、ポテトチップ用のトング類も売られているし、ユーモア発明でロボットのつまみ具もある。しかし、これらは箸も含めて、食べる前に用意しておかなければならないし、使用後は洗わなければならないという問題点がある。野外の公園等やスポーツ観戦時等では、これらを準備するのは、通常難しいし、急に食べようとしたときなども用意できない。袋に付属していたり、袋から容易に作られたりするものが望ましい。
【０００４】
【特許文献１】の実開平６‐４９３４８「菓子袋切取り式菓子つまみ」公報では、菓子袋のコーナー部を直角二等辺三角形状に切り取り、菓子つまみにすることが提案されている。菓子袋のコーナー部を鋏やナイフで切り取る方法は、鋏等の道具を用意しなければならず、又、公報に記載の袋に予めミシン目等を入れておく方法は、袋内に封入した気体が漏れ出すので、ポテトチップ等の食品の袋には、適用できない。即ち、袋内に空気を入れて膨らせて、壊れやすい食品に外部から押された力が掛からないようにしたり、不活性ガスを充満させて、食品の酸化を防止したりする場合に適用できない。又、一般に食品を袋に入れる場合は、密封して、外部の空気とは遮断することが多いので、ミシン目等のように孔を開けるものは、採用できない。
【先行技術文献】
【特許文献】
【０００５】
【特許文献１】実開平６‐４９３４８「菓子袋切取り式菓子つまみ」公報
【発明の概要】
【発明が解決しようとする課題】
【０００６】
箸、トング、ピンセットのような道具、器具類は、前もって用意したり、使用後洗ったりしなければならない。袋のコーナー部を斜めに切るものは、鋏やナイフ等の切断具が必要になる。
【０００７】
【特許文献１】の実開平６‐４９３４８「菓子袋切取り式菓子つまみ」の袋に斜めのミシン目を入れるものは、空気等が漏れるので、気体充満式の食品用の袋には勿論、一般に食品用の袋には採用できない。
【０００８】
手で食べた後、指に付いた油、塩、タレ等をティッシュペーパーやタオル、御絞り等で拭いたり、石けんで洗ったりするのも面倒であり、大げさにいえば、資源の無駄になる。
【０００９】
本発明が解決しようとする課題は、これらの問題点を解決し、顧客が食べようとするまでは、袋内の気密を保ち、食べようとするときは、容易につまみ具を切り離すことができ、容易に開封できる食品用の袋及びこの袋から得られるつまみ具を提供することである。
【課題を解決するための手段】
【００１０】
本発明は、気体充満型の食品用袋から容易につまみ具が得られる、食品用の袋とそのつまみ具を特徴とする。
【００１１】
請求項１に係る食品用の袋は、ヒートシール可能で気密性のシートで構成した気体充満可能な袋１のコーナー部又は１辺の近くを・仕切用ヒートシール部１２で仕切り、該仕切用ヒートシール部１２の外側に・つまみ具２を切り離すためのミシン目１３又は脱線防止付一方通行切れ目１４を設け・横方向のヒートシール部１１上の該ミシン目１３又は脱線防止付一方通行切れ目１４の上方に、ミシン目等用切り口１５を設け、更に前記仕切用ヒートシール部１２の内側に開封用切り口１６を設けた、つまみ具用の切れ目を設けたものである。
【００１２】
つまみ具用の切れ目を設けた食品用の袋とは、つまみ具用の切れ目を切り離すことにより、食品を入れた袋１から容易につまみ具２が得られる袋のことである。
【００１３】
ヒートシール可能で気密性のシートとは、袋を作るのに、ヒートシールにより密着・接着させるため、ヒートシール性は必要であり、食品用の袋には、中身のこわれ易い食品を保護するため、空気を充満させて袋を膨らせたり、不活性ガスを封入して、食品の酸化を防止したりすることがあるため、気密性が必要である。ヒートシール可能で気密性のシートは、プラスチックシートに限らず、紙や金属箔にラミネートしたものでもよい。気体充満可能な袋とは、大気圧と同等又はやや高い圧力の気体を密閉可能な袋のことである。
【００１４】
袋１の構造は、帯状のシートの両端を合わせてヒートシールしてチューブ状とし、上下２箇所を横方向にヒートシールしたもの、チューブ状のシートの上下２箇所を横方向にヒートシールしたもの、シート２枚を重ねて四辺を平面的に圧迫してヒートシールしたものがある。他にも袋には、袋の両サイドを溶断(熱刃により、熱圧着とカットを同時に行う)したサイドシールド袋、側面にマチ(折り込み)を入れたガゼット袋、底にマチのある底ガゼット袋や底を円形にするなどしたスタンド袋等いろいろあるが、少なくとも１辺がヒートシール部であればよい。コーナー部とは、袋の角の部分のことである。
【００１５】
直線状は、厳密な直線でなくてよく、大体直線状(真っ直ぐ)であればよい。曲線状は、蛇行した曲線(S字形をつないだ形)を含む。
【００１６】
脱線防止付一方通行切れ目１４は、図面に示すように、Ｔ字形、Y字形等の切れ目を連続的に並べて、一方向から裂いたときに、目標通りに切れるようにしたもので、いろいろな形のものがあるが、どのような形のものでもよい。双方向脱線防止付のものでもよい。ミシン目等用切り口１５の等は、ミシン目１３と脱線防止付一方通行切れ目１４とを指すためのものである。
【００１７】
つまみ具２を切り離すための仕切用ヒートシール部１２、ミシン目１３及び脱線防止付一方通行切れ目１４は、４つあるコーナー部の１つに設けてもよいし、横方向のヒートシール部１１の両端に設けてもよいし、四隅全部に設けてもよい。又は、１辺の近くに設けてもよい。１辺とは、どの辺でもよいという意味である。
【００１８】
外側は、仕切用ヒートシール部１２よりも袋体の端に寄った方をいい、仕切用ヒートシール部１２よりも袋体の中央に寄った方を内側とする。
【００１９】
請求項２に係る食品用の袋は、袋１の上下の横方向のヒートシール部１１
を鋸歯状に切断し・該横方向のヒートシール部１１上に、ミシン目１３又は
脱線防止付一方通行切れ目１４に近い所にミシン目等用切り口１５と仕切用
ヒートシール部１２の内側に開封用切り口１６とを印刷により示した、請求
項１に記載のつまみ具用の切れ目を設けた食品用の袋。
【００２０】
鋸歯状とは、Ｗ字形を連続したもので、谷部が切り口の働きをすればよいので、連続Ｗ字形の外に工場の建物の側面のように、山形の１辺が垂直のものでもよい。
【００２１】
要は、横方向のヒートシール部１１を鋸歯状に切断し、２種類の切り口の位置を印刷により示したものである。
【００２２】
請求項３に係るつまみ具は、開口部２１が凸状である、袋のコーナー部から、請求項1又は請求項2により、切り離したものである。
【００２３】
請求項４に係るつまみ具は、袋１の１辺から略直角に切り離した、断面形状が略Ｕの字形又は略Ｖの字形で、側面形状が四辺形であるものである。四辺形は、角に丸みのあるものや辺が直線でないものも含む。
【発明の効果】
【００２４】
請求項１の発明は、食品用の袋１自体からつまみ具２が容易に得られるので、野外等で手を洗うところがない所でも、しかも手が汚れていても、中身の食品を食べられるという効果がある。つまみ具２を使用すると、油、塩、タレ等袋内の食品の表面に付いていたものが、手指に付着しないので、食べた後で手をティッシュペーパー等で拭いたり、洗ったりしなくてよいという効果がある。しかも予め用意しなくても、食品を入れた袋１から容易に、しかもその場でつかみ具２が得られるという効果がある。更に袋１に入れる食品の中には、価格競争の厳しいものが多く、袋１の価格上昇は、極力避けねばならないものもあるが、請求項１の発明では、価格上昇の要素はほとんどない。即ち、仕切用ヒートシール部１２は、横方向のヒートシール部１１と同時にすればよいし、ミシン目１３や脱線防止付一方通行切れ目１４の加工は、袋１の上下端を切断するのと同時にすればよい。
【００２５】
請求項２の発明は、請求項１の効果の外に、印刷により切り口の位置を示すので、切り口用の裁断型を用意しなくて済むという効果がある。
【００２６】
請求項３の発明は、つまみ具２の開口部２１が凸状であるので、薄い板状の食品から小さな豆類までつまみ易いという効果がある。
【００２７】
請求項４の発明は、2枚の四辺形のつまみ片が断面形状がハの字形に広がっているので、食品をつまみ易いという効果がある。
【図面の簡単な説明】
【００２８】
【図１】実施例１の食品用の袋を示す、平面図及び斜視図である。
【図２】実施例2の食品用の袋を示す、平面図である。
【図３】実施例３の食品用の袋を示す、斜視図である。
【図４】実施例４の食品用の袋を示す、平面図である。
【発明を実施するための形態】
【００２９】
食品用の袋自体から容易に食品のつまみ具を得るという目的を気体充満可能な袋のコーナー部又は１辺の近くに仕切用ヒートシール部を設け、その外側にミシン目を設け、横方向のヒートシール部にミシン目用と開封用との切り口を設けた袋で実現した。
【実施例１】
【００３０】
実施例１の食品用の袋を図1に基づいて説明する。図1の（Ａ）は、実施例１の食品用の袋を示す平面図である。小円内のものは、食品用袋のコーナー部を示し、矢印先の大円内のものは、小円内のものを拡大したものを示す。
【００３１】
袋１の上下には、横方向のヒートシール部１１があり、袋１のコーナー部に、斜めの直線状の仕切用ヒートシール部１２を設ける。大円内に示すように、斜めの直線状の仕切用ヒートシール部１２の外側にミシン目１３を設ける。このミシン目１３の外側が切断後つまみ具２になる。
【００３２】
横方向のヒートシール部１１上のミシン目１３の上方に、ミシン目等用切り口１５を設け、仕切用ヒートシール部１２の内側に、開封用切り口１６を設ける。ミシン目等用切り口１５は、仕切用ヒートシール部１２の外側にあり、気密性は関係ないので、切込みが深くてもよい。
【００３３】
使い方は、横方向のヒートシール部１１上にあるミシン目等用切り口１５を下方に向けて裂き、ミシン目１３に沿って切り取り、つまみ具２を外す。このようにして、つまみ具２を得た後、開封用切り口１６を下方に向けて裂いて、中身の取り出し口として、中身の食品を前もって得たつまみ具２で挟んで、取り出す。つまみ具２を介して、食品をつまむので、手には油、塩、タレ等の食品の表面に付着しているものは付かない。
【００３４】
なお、左側の袋１の全体を示す図では、上部の左右に斜めの仕切用ヒートシール部１２を設けているが、片方の１個だけにしてもよいし、袋１の四隅に設けてもよい。
【００３５】
（Ｂ）は、ミシン目１３により切り離した、つまみ具２の開口部２１側から見たところを示す斜視図である。通常、ミシン目１３に沿って切り離したつまみ具2は、（Ｂ）に示すように、開口部２１が広がり、口を開けたようになる。もし、このようにならないときは、図のイ、ロ部を矢印の方向に指で押して、口を開けたようにする。
【００３６】
使い方は、つまみ具２の斜めの開口部２１で、袋１の中の食品をつまんで取り出して口に運ぶ。手指に油等が付かないのは、（Ａ）のところで記載した通りである。
【００３７】
（Ｃ）は、（Ａ）の大円内に示すものの斜めの直線状仕切用ヒートシール部１２を、下に凸状に曲がった曲線状の仕切用ヒートシール部１２に変え、直線状のミシン目１３を下に凸状の曲線状の脱線防止付一方通行切れ目１４に変えたものである。脱線防止付一方通行切れ目１４は、細長いＴの字形を並べたものである。ミシン目等用の切り口１５と開封用切り口１６は変わらない。
【００３８】
使い方は、（Ａ）に示したものと同じでる。つまみ具２の開口部２１が膨れたような形になっているので、袋１の中身の食品をつまむ際に、つまみ易いという効果がある。つまみ具２の開口部２１は、（Ｃ）に示すような凸状(（Ａ）のものよりも出っ張っている)の方が食品をつかみ易い。
【００３９】
（Ｄ）に示すものは、（Ｃ）に示したものの斜めの仕切用ヒートシール部１２と曲線状の脱線防止付一方通行切れ目１４とを上に凸状(下に凹状)のものに変えたものである。更に、脱線防止付一方通行切れ目１４の形状を細長いＴの字形から細長いＹの字形に変えている。
【００４０】
使い方は、（Ｃ）に示したものと同じでる。つまみ具２の開口部２１が窪んだ形状になっているので、袋１の中身の食品を摘む際に、ややつまみ難い点があるが、袋１の収容量が増すという効果がある。つまみ具２の開口部２１は、（Ｄ）のような凹状になるとつまみ難い。凹状がひどくなる程つかみにくいので、薦められない。特に、豆類のように小さなものは、つまみ難い。
【実施例２】
【００４１】
実施例２の食品用の袋１を図2に基づいて説明する。実施例２の袋１は、四辺共ヒートシールしたものである。
【００４２】
図2の（Ａ）は実施例１の（Ａ）(図1の（Ａ）)のつまみ具２を直角二等辺三角形から縦長の直角三角形に変えたものである。従って、横方向のヒートシール部１１に対する、斜めの仕切用ヒートシール１２及び脱線防止付一方通行の切れ目１４の両方の角度も縦長の形の角度に変わっている。その他は、実施例１の（Ａ）に示すものと同じである。なお、直角二等辺三角形や直角三角形は、正確なものでなくてもよく、大体のものでよい。
【００４３】
使い方は、実施例１の（Ａ）のものと同じであるが、つまみ具２が浅くなっているので、大きい食品は、直角部を使うようにする。つまみ具２が浅くなっている半面、袋１の横幅が多少広くなり、収容量が増すという効果がある。
【００４４】
（Ｂ）は、（Ａ）のつまみ具２を縦長から横長の直角三角形に変えたものである。従って、横方向のヒートシール部１１に対する、斜めの仕切用ヒートシール部１２及び脱線防止付一方通行切れ目１４の両方の角度も横長の形の角度に変わっている。その他は、実施例２の（Ａ）に示すものと同じである
【００４５】
使い方は、（Ａ）のものと同じである。横長に変わっても、収容量が増すという効果は、同じである。
【００４６】
（Ｃ）は、（Ａ）の斜めの直線状の仕切用ヒートシール部１２を斜めの曲線状のヒートシール部１２に変え、斜めの直線状の脱線防止付一方通行切れ目１４を斜めの曲線状の脱線防止付一方通行切れ目１４に変えたものである。脱線防止付一方通行切れ目１４は、細長いＹ字形を逆ハの字形に変えている。その他は、実施例２の（Ａ）に示すものと同じである
【００４７】
使い方は、（Ａ）のものと同じである。つまみ具２の開口部２１が直線状から凸状の曲線状に変わって、内容物の食品をつまみ易くなる効果がある。開口部２１が凸状の方がつかみ易いのは、実施例１と同じである。
【００４８】
（Ｄ）は、（Ｂ）の斜めの直線状の仕切用ヒートシール部１２を斜めの曲線状のヒートシール部１２に変え、斜めの直線状の脱線防止付一方通行切れ目１４を斜めの曲線状の脱線防止付一方通行切れ目１４に変えたものである。脱線防止付一方通行切れ目１４は、細長いＹ字形のままである。その他は、実施例２の（Ｂ）に示すものと同じである
【００４９】
使い方は、（Ｂ）のものと同じである。つまみ具２の開口部２１が直線状から凸状の曲線状に変わって、内容物の食品をつまみ易くなる効果がある。
【００５０】
（Ｅ）は実施例１の（Ａ）(図1の（Ａ）)の斜めの仕切用ヒートシール部１２と斜めのミシン目１３とを変えたものである。即ち、直線状の仕切用ヒートシール部１２を連続Ｗ字形仕切用ヒートシール１２に変え、直線状のミシン目１３を短い切れ目を直線状に並べた脱線防止付一方通行切れ目１４に変えたものである。脱線防止付一方通行切れ目１４は、ミシン目等用の切り口１５から裂けた切れ目が下に伸びて、予め切られていた短い切れ目に至り、その右端から下に向かって裂けることを繰り返して、連続的に斜めに切れていく。
【００５１】
その他は、実施例１の（Ａ）に示すものと同じである。つまみ具２の開口部がギザギザになっているので、つまんだ食品が滑りにくい効果がある。
【００５２】
（Ｆ）は、（Ｅ）の斜めの連続Ｗ字形ヒートシール部12を波型(蛇行、連続Ｓ字形)のヒートシール部１２に変え、脱線防止付一方通行切れ目１４を連続逆ハの字形の脱線防止付一方通行切れ目１４に変えたものである。その他は、（Ｅ）のものと同じである。使い方及び効果も同じである。
【００５３】
実施例２に示したつまみ具２は、即ち四辺共にヒートシールした袋１を使用したものは、実施例１に示した上下二辺をヒートシールした袋１に適用してもよいし、チューブ状の袋材の上下２箇所をヒートシールした袋１(背面に縦方向のヒートシールがないもの)に適用してもよい。
【実施例３】
【００５４】
実施例３の食品用の袋１を図３に基づいて説明する。実施例３の袋１は、ガゼット袋、底ガゼット袋及びスタンド袋のものである。実施例３のつまみ具２は、実施例１及び実施例２の平面形状が直角三角形とその類似のものと異なり、別の平面形状をしている。
【００５５】
図３の（Ａ）は、ガゼット袋１のコーナー部に斜めの仕切用ヒートシール部１２を設け、この仕切用ヒートシール部１２の外側に、つまみ具２を切り離すためのミシン目１３を設けたものである。ガゼット袋は、袋の側面にマチ（折り込み）を入れたものである。図面の左下部の切開部に示す。  
【００５６】
使い方は、ミシン目等用の切り口１５からミシン目１３を切り離して行くと、横方向のヒートシール部１１を中心にした２枚の長方形からできたつまみ具２が得られる。この２枚の長方形部分で、ポテトチップ等の食品をつまんで、口へ運ぶ。２枚の長方形は、断面形状ハの字形に広がり、食品をつまみ易い。斜めの仕切用ヒートシール部１２があるため、ミシン目１３があっても袋１内の気密は保たれる。開封用の切り口１６から切り開いて、中身を取り出すのは、実施例１と同じである。なお、ミシン目１３は、脱線防止付一方通行切れ目１４に変えてもよい。
【００５７】
（Ｂ）は、底ガゼット袋１のコーナー部に斜めの仕切用ヒートシール部１２を設け、この仕切用ヒートシール部１２の外側につまみ具２用のミシン目１３を設けたものである。底ガゼット袋は、袋の底部にマチを入れたものである。
【００５８】
使い方は、ミシン目等用の切り口１５からミシン目１３を切り離して行くと、袋１のコーナー部を中心にした、先端に丸みをもった２枚のシートからなるつまみ具２が得られる。この２枚のシート部分で、ポテトチップ等の食品をつまんで、口へ運ぶ。２枚のシートの形状が指先のような形をしているので、小さなものでもつまみ易いという効果がある。
【００５９】
（Ｃ）は、スタンド袋１のコーナー部に斜めの仕切用ヒートシール部１２を設け、この仕切用ヒートシール部１２の外側につまみ具２用のミシン目１３を設けたものである。スタンド袋は、袋の底部を円形にするなどして、袋に自立(スタンディング性)できるようにしたものである。袋１の側面には、縦方向のヒートシール部１７がある。
【００６０】
使い方は、ミシン目等用の切り口１５からミシン目１３を切り離して行くと、袋１のコーナー部を中心にした四角形の２枚のシートからなるつまみ具２が得られる。この２枚のシート部分で、ポテトチップ等の食品をつまんで、口へ運ぶ。２枚のシートの形状が四角形で先端が尖っているので、小さな食品でもつまみ易い。
【００６１】
実施例３のつまみ具２は、開口部２１の先端が細くて、十分出ているので、小さな食品でもつまみ易い効果がある。
【実施例４】
【００６２】
実施例４の食品用の袋１を図４に基づいて説明する。実施例４の袋１は、実施例１と同じく普通の袋である。実施例４は、実施例１の斜めの仕切用ヒートシール部１２をＬの字形やＵの字形に変えたものである。なお、ミシン目１３は、脱線防止付一方通行切れ目１４に変えてもよい。
【００６３】
図４の（Ａ）は、袋１のコーナー部に、Ｌの字形の仕切用ヒートシール部１２を設け、この仕切用ヒートシール部１２の外側につまみ具２用の同じくＬの字形のミシン目１３を設けたものである。なお、ミシン目１３は、脱線防止付一方通行切れ目１４に変えてもよい。
【００６４】
使い方は、ミシン目等用の切り口１５からミシン目１３を切り離して行くと、袋１のコーナー部を中心にした２枚の四角形のシートからなるつまみ具２が得られる。この２枚のシート部分で、ポテトチップ等の食品をつまんで、口へ運ぶ。
【００６５】
（Ｂ）は、（Ａ）のＬの字形のミシン目１３をＵの字形のミシン目１３に変えたものである。
【００６６】
使い方は、（Ａ）と同じで、Ｕの字形のミシン目１３を切り離し、得られたつまみ具２の２枚のＵ字形のシート部分で食品を挟む。
【００６７】
（Ｃ）は、（Ｂ）のＬの字形の仕切用ヒートシール部１２をＵの字形の仕切用ヒートシール部１２に変えたものである。
【００６８】
使い方は、（Ｂ）と同じである。
【００６９】
（Ｄ）は、（Ｃ）のＵの字形の仕切用ヒートシール部１２を元のＬの字形の仕切用ヒートシール部１２に変え、Ｕの字形のミシン目１３を横方向のヒートシール部１１に付いた四角のものに変えたものである。
【００７０】
使い方は、２つあるミシン目等用の切り口１５のどちらからでも、ミシン目１３を切り離して行くと、横方向のヒートシール部１１に付いた、２枚の四角形のシートからできたつまみ具２が得られる。この２枚の四角形のシート部分で、ポテトチップ等の食品をつまんで、口へ運ぶ。
【００７１】
（Ｅ）は、（Ｄ）のＬの字形の仕切用ヒートシール部１２を上下に長くして、且つミシン目１３で仕切られたつまみ具２の向きを変え、更につまみ具２の数を２個に増やしたものである。ミシン目等用の切り口１５の位置を横方向のヒートシール部１１から袋１の側面部に変えている。つまみ部２の個数は、増やしてもよい。
【００７２】
使い方は、袋１の側面にあるミシン目等用の切り口１５のどの分からでも、ミシン目１３を切り離して行くと、袋１の側面を中心にした、２枚の四角形のシートからできたつまみ具２が得られる。この２枚の四角形のシート部分で、ポテトチップ等の食品をつまんで、口へ運ぶ。断面形状ハの字形に広がり、食品をつまみ易い。
【００７３】
（Ｆ）は、（Ｅ）のＬの字形の仕切用ヒートシール部１２を上下に長くしたものから、元のものに戻し、且つミシン目１３で仕切られたつまみ具２の向きを元の横方向のヒートシール部１１にぶら下がったものに戻したものである。つまみ部２の個数は、増やしてもよい。
【００７４】
使い方は、横方向のヒートシール部１１にあるミシン目等用の切り口１５のどの分からでも、ミシン目１３を切り離して行くと、横方向のヒートシール部１１を中心にした、２枚の四角形のシートからできたつまみ具２が得られる。この２枚の四角形のシート部分で、ポテトチップ等の食品をつまんで、口へ運ぶ。２枚のシート部分は、断面形状ハの字形に広がる。
【００７５】
実施例４のつまみ具２の内、袋1のコーナー部を中心にしたものは、開口部２１が凸状で、先が小さくなっているので、ピーナツのような小さなものでも、つまみ易いという効果がある。横方向のヒートシール部１１や袋１の側面を中心にしたものは、２枚の四角形のシート部分が、断面形状ハの字形に広がっているので、食品をつまみ易いという効果がある。  なお、実施例４のつまみ具２のミシン目１３は、脱線防止付一方通行切れ目１４に変えてもよい。
【産業上の利用可能性】
【００７６】
本発明の食品用の袋は、ヒートシールを施した食品用の袋に適用でき、つまみ具が容易に得られるので、いつでも、どこでも中身の食品を直接手で触ることなく，食べられるという食品用の袋に適用できる。
【符号の説明】
【００７７】
１………袋
１１……横方向のヒートシール部
１２……仕切用ヒートシール部
１３……ミシン目
１４……脱線防止付一方通行切れ目
１５……ミシン目等用の切り口
１６……開封用の切り口
１７……縦方向のヒートシール部
２………つまみ具
２１……開口部
【図１】
0005593574.tif 000002
【図２】
0005593574.tif 000003
【図３】
0005593574.tif 000004
【図４】
0005593574.tif 000005